(57)【要約】【課題】透水性の低下した土壌に対して優れた透水性向上能力を発揮し、植物に対する薬害が低い土壌用透水性向上剤組成物、及び該組成物を用いる土壌の透水性向上方法の提供。【解決手段】成分（Ａ）として下記成分（Ａ１）及び成分（Ａ２）から選ばれる１種以上の化合物、及び成分（Ｂ）として下記成分（Ｂ１）の化合物を含有する、土壌用透水性向上剤組成物。  成分（Ａ１）：脂肪酸の炭素数が８以上１６以下であり、エチレンオキシドの平均付加モル数が３以上４０以下であるポリオキシエチレン脂肪酸エステル  成分（Ａ２）：脂肪酸の炭素数が８以上１６以下であり、グリセリンの平均縮合度が１以上３以下である（ポリ）グリセリン脂肪酸エステル  成分（Ｂ１）：下記一般式（ｂ１）で示されるアルコール      Ｒ１ｂ−ＯＨ        （ｂ１）（式中、Ｒ１ｂは炭素数６以上１６以下の炭化水素基を示す。）【選択図】なし【特許請求の範囲】
【請求項１】
成分（Ａ）として下記成分（Ａ１）及び成分（Ａ２）から選ばれる１種以上の化合物、及び成分（Ｂ）として下記成分（Ｂ１）の化合物を含有する、土壌用透水性向上剤組成物。
成分（Ａ１）：脂肪酸の炭素数が８以上１６以下であり、エチレンオキシドの平均付加モル数が３以上４０以下であるポリオキシエチレン脂肪酸エステル
成分（Ａ２）：脂肪酸の炭素数が８以上１６以下であり、グリセリンの平均縮合度が１以上３以下である（ポリ）グリセリン脂肪酸エステル
成分（Ｂ１）：下記一般式（ｂ１）で示されるアルコール
Ｒ１ｂ−ＯＨ        （ｂ１）
（式中、Ｒ１ｂは炭素数６以上１６以下の炭化水素基を示す。）
【請求項２】
成分（Ａ）として成分（Ａ１）と成分（Ａ２）を含有する、請求項１に記載の土壌用透水性向上剤組成物。
【請求項３】
成分（Ａ１）の含有量と成分（Ａ２）の含有量との質量比（Ａ１）／（Ａ２）が、０．５以上２以下である、請求項２に記載の土壌用透水性向上剤組成物。
【請求項４】
成分（Ａ）の含有量と成分（Ｂ）の含有量との質量比（Ａ）／（Ｂ）が、０．０３以上３０以下である、請求項１〜３の何れか１項に記載の土壌用透水性向上剤組成物。
【請求項５】
更に、成分（Ｃ）としてＳＰ値が８以上１３以下の化合物（但し、成分（Ａ）及び成分（Ｂ）を除く）を含有する、請求項１〜４の何れか１項に記載の土壌用透水性向上剤組成物。
【請求項６】
更に、成分（Ｄ）として水を含有する、請求項１〜５の何れか１項に記載の土壌用透水性向上剤組成物。
【請求項７】
請求項１〜６の何れか１項に記載の土壌用透水性向上剤組成物を、成分（Ａ）及び成分（Ｂ）の合計濃度が５０ｍｇ／ｋｇ以上５００００ｍｇ／ｋｇ以下となるように処理液を調製し、土壌に散布する、土壌の透水性向上方法。
【請求項８】
前記処理液を、土壌１０ａあたり０．５Ｌ以上５０００Ｌ以下散布する、請求項７に記載の土壌の透水性向上方法。
【請求項９】
前記処理液を、植物が生育されていない土壌に散布する、請求項７又は８に記載の土壌の透水性向上方法。
【発明の詳細な説明】
【技術分野】
【０００１】
本発明は、土壌用透水性向上剤組成物、及び該組成物を用いる土壌の透水性向上方法に関する。
【背景技術】
【０００２】
土壌中の水分量を最適な状態に維持することは作物の収量と品質の向上を図るためには重要なことである。植物の根は、水分の吸収を行うとともに、媒体内の養分イオンと植物の根の部位への交換によって栄養素をとる。従って、水性移送媒体、すなわち水の非存在下では、植物は大きく成長することができない。
また、透水性の良い土壌と悪い土壌では、土壌に入る酸素の量が異なり、酸素がたくさん入るところには、好気性微生物の住処が多くなり、有機物の分解がよく進む。一方、透水性の悪い土壌では、嫌気性微生物の影響を大きく受け、作物の病害が増えることが考えられる。
【０００３】
土壌透水性の悪化の原因は多様であるが、芝生地では、サッチの集積・土壌の固結・ドライスポットの形成などが原因となり、土壌が撥水化することが考えられる。特に、植物などが微生物による分解を経て形成された最終生成物であるフミン質（腐植物質）のうち、酸性の無定形高分子有機物であるフミン酸（腐植酸）が土壌粒子を被覆して疎水化することが有力な原因と考えられ、このような撥水化が進行することでゴルフ場などでは、芝生の美観を損なってしまい、大きな問題となっている。
【０００４】
このような土壌の透水性改善技術がこれまで開発されてきている。例えば、特許文献１には、（Ａ）下記式（１）で示される脂肪酸ポリオキシアルキレンアルキルエーテル、及び（Ｂ）下記式（２）で示されるポリオキシアルキレンアルキルエーテルを含有する土壌改良剤組成物が開示されている。
Ｒ１ＣＯ（ＥＯ）ｍ（ＰＯ）ｎＯＲ２  （１）
（式中、Ｒ１は、炭素数１３〜２１の直鎖又は分岐鎖の鎖式炭化水素基を表し、ＥＯは、エチレンオキサイドを表し、ｍは２〜１０の数を表し、ＰＯは、プロピレンオキサイドを表し、ｎは１〜４の数を表し、Ｒ２は、炭素数１〜３の炭化水素基を表す。）
Ｒ３Ｏ（ＥＯ）ｘ（ＰＯ）ｙＨ    （２）
（式中、Ｒ３は、炭素数８〜１４の直鎖又は分岐鎖の鎖式炭化水素基を表し、ＥＯは、エチレンオキサイドを表し、ｘは７〜１２の数を表し、ＰＯはプロピレンオキサイドを表し、ｙは０〜３の数を表す。）
【０００５】
特許文献２には、特に撥水性土壌中で、メチルオキシラン−オキシラン共重合体のＣ１−Ｃ４アルキルエーテルを含む組成物の有効量を媒体に適用する、植物成長媒体中での植物成長の促進方法が開示されている。
特許文献３には、（ａ）少なくとも１つの非イオン性アルキレンオキシドコポリマーと、（ｂ）少なくとも１つのテルペン系アルコキシレートとを含む成長培地湿潤組成物が開示されている。
【先行技術文献】
【特許文献】
【０００６】
【特許文献１】国際公開第２０１２／０６３８９９号
【特許文献２】特表２００７−５３１５２１号公報
【特許文献３】特表２０１５−５０６６８５号公報
【発明の概要】
【発明が解決しようとする課題】
【０００７】
植物に対して薬害を起こすことなく、土壌の透水性を向上させるには、これまでの技術では不十分であった。特に透水性が低下して水が浸透しにくくなった土壌に対する改善効果が不十分であり、透水性を改善するために大量に薬剤を使用する必要があり、植物に対して薬害を生じさせていた。
【０００８】
本発明は、透水性の低下した土壌に対して優れた透水性向上能力を発揮し、植物に対する薬害が低い土壌用透水性向上剤組成物、及び該組成物を用いる土壌の透水性向上方法を提供する。
【課題を解決するための手段】
【０００９】
本発明は、成分（Ａ）として下記成分（Ａ１）及び成分（Ａ２）から選ばれる１種以上の化合物、及び成分（Ｂ）として下記成分（Ｂ１）の化合物を含有する、土壌用透水性向上剤組成物に関する。
成分（Ａ１）：脂肪酸の炭素数が８以上１６以下であり、エチレンオキシドの平均付加モル数が３以上４０以下であるポリオキシエチレン脂肪酸エステル
成分（Ａ２）：脂肪酸の炭素数が８以上１６以下であり、グリセリンの平均縮合度が１以上３以下である（ポリ）グリセリン脂肪酸エステル
成分（Ｂ１）：下記一般式（ｂ１）で示されるアルコール
Ｒ１ｂ−ＯＨ        （ｂ１）
（式中、Ｒ１ｂは炭素数６以上１６以下の炭化水素基を示す。）
【００１０】
本発明は、前記土壌用透水性向上剤組成物を、成分（Ａ）及び成分（Ｂ）の合計濃度が５０ｍｇ／ｋｇ以上５００００ｍｇ／ｋｇ以下となるように処理液を調製し、土壌に散布する、土壌の透水性向上方法に関する。
【発明の効果】
【００１１】
本発明によれば、透水性の低下した土壌に対して優れた透水性向上能力を発揮し、植物に対する薬害が低い土壌用透水性向上剤組成物、及び該組成物を用いる土壌の透水性向上方法が提供される。
【図面の簡単な説明】
【００１２】
【図１】実施例の薬害度の指標を示す写真
【発明を実施するための形態】
【００１３】
［土壌用透水性向上剤組成物］
本発明の土壌用透水性向上剤組成物は、植物に対して薬害を起こすことなく、透水性の低下した土壌に対して優れた透水性向上能力を発揮することができる。
本発明に係る土壌用透水性向上剤組成物の作用メカニズムの詳細は定かではないが、以下のように考えられる。
透水性が低下した土壌は、フミン酸（腐植酸）等の疎水性物質が土壌粒子を被覆して疎水化していると考えられ、この疎水性物質に成分（Ｂ）が吸着するとともに成分（Ａ）が成分（Ｂ）を介して吸着し、土壌粒子表面を親水化する。そして、土壌粒子が親水化することにより、土壌粒子の水との接触角が低下し、透水性が向上するものと推定される。また、成分（Ａ）及び成分（Ｂ）は植物の生理障害を起こしにくいため、植物に対する薬害を生じさせにくいものと推定される。
なお本発明の作用メカニズムは上記のものに限定されるものではない。
【００１４】
＜成分（Ａ）＞
成分（Ａ）は、脂肪酸エステルであって、下記成分（Ａ１）及び成分（Ａ２）から選ばれる１種以上の化合物である。
成分（Ａ１）：脂肪酸の炭素数が８以上１６以下であり、エチレンオキシドの平均付加モル数が３以上４０以下であるポリオキシエチレン脂肪酸エステル
成分（Ａ２）：脂肪酸の炭素数が８以上１６以下であり、グリセリンの平均縮合度が１以上３以下である（ポリ）グリセリン脂肪酸エステル
本発明の土壌用透水性向上剤組成物は、成分（Ａ１）、成分（Ａ２）のいずれのものであっても１種を含有していればよく、成分（Ａ１）、成分（Ａ２）の２種を含有していてもよい。
【００１５】
＜成分（Ａ１）＞
成分（Ａ１）は、脂肪酸の炭素数が８以上１６以下であり、エチレンオキシドの平均付加モル数が３以上４０以下であるポリオキシエチレン脂肪酸エステルである。成分（Ａ１）における脂肪酸の炭素数は、透水性向上及び薬害低減の観点から、好ましくは１０以上、より好ましくは１２以上、そして、好ましくは１４以下、より好ましくは１３以下であり、更に好ましくは１２である。成分（Ａ１）における脂肪酸は、直鎖若しくは分岐鎖のアルキル基、又は直鎖若しくは分岐鎖のアルケニル基を有するものが好ましく、直鎖のアルキル基を有するものがより好ましい。成分（Ａ１）における脂肪酸としては、カプリル酸、カプリン酸、ラウリン酸、ミリスチン酸、パルミチン酸等が挙げられ、透水性向上及び薬害低減の観点から、好ましくはラウリン酸、ミリスチン酸、より好ましくはラウリン酸である。成分（Ａ１）において、エチレンオキシドの平均付加モル数は、透水性向上及び薬害低減の観点から、３以上、好ましくは５以上、より好ましくは６以上、更に好ましくは８以上、そして、４０以下、好ましくは２０以下、より好ましくは１５以下、更に好ましくは１３以下である。成分（Ａ１）において、エステルはモノエステルが好ましい。
【００１６】
＜成分（Ａ２）＞
成分（Ａ２）は、脂肪酸の炭素数が８以上１６以下であり、グリセリンの平均縮合度が１以上３以下である（ポリ）グリセリン脂肪酸エステルである。ここで、「（ポリ）グリセリン」は、「グリセリン又はポリグリセリン」の意味である。成分（Ａ２）において、脂肪酸の炭素数は、透水性向上及び薬害低減の観点から、８以上、好ましくは１０以上、そして、１６以下、好ましくは１４以下、より好ましくは１２以下、更に好ましくは１０である。成分（Ａ２）における脂肪酸は、直鎖若しくは分岐鎖のアルキル基、又は直鎖若しくは分岐鎖のアルケニル基を有するものが好ましく、直鎖のアルキル基を有するものがより好ましい。成分（Ａ２）における脂肪酸としては、カプリル酸、カプリン酸、ラウリン酸、ミリスチン酸、パルミチン酸等が挙げられ、透水性向上及び薬害低減の観点から、好ましくはカプリン酸、ラウリン酸であり、より好ましくはカプリン酸である。成分（Ａ２）において、グリセリンの平均縮合度は、透水性向上及び薬害低減の観点から、１以上、そして、３以下、好ましくは２以下、より好ましくは２である。また、成分（Ａ２）において、エステル結合の形態は、モノエステル体、ジエステル体が好ましく、モノエステル体がより好ましい。
【００１７】
＜成分（Ｂ）＞
成分（Ｂ）は下記成分（Ｂ１）の化合物である。
成分（Ｂ１）：下記一般式（ｂ１）で示されるアルコール
Ｒ１ｂ−ＯＨ        （ｂ１）
（式中、Ｒ１ｂは炭素数６以上１６以下の炭化水素基を示す。）
一般式（ｂ１）において、Ｒ１ｂの炭素数は、透水性向上及び薬害低減の観点から、６以上、好ましくは８以上、より好ましくは１０以上、そして、１６以下、好ましくは１４以下、より好ましくは１２以下であり、更に好ましくは１０である。Ｒ１ｂは炭化水素基であり、透水性向上及び薬害低減の観点から、好ましくはアルキル基、アルケニル基、又はアリール基であり、より好ましくは直鎖又は分岐鎖のアルキル基であり、更に好ましくは直鎖のアルキル基である。
【００１８】
＜組成等＞
本発明の土壌用透水性向上剤組成物において、成分（Ａ）の含有量と成分（Ｂ）の含有量との質量比（Ａ）／（Ｂ）は、透水性向上の観点から、好ましくは０．０３以上、より好ましくは０．０５以上、更に好ましくは０．１以上、より更に好ましくは０．３以上、より更に好ましくは０．５以上、そして、好ましくは３０以下、より好ましくは２０以下、更に好ましくは１０以下、より更に好ましくは８以下、より更に好ましくは２以下である。
【００１９】
本発明の土壌用透水性向上剤組成物は、成分（Ａ）と成分（Ｂ）とを合計で好ましくは５質量％以上、より好ましくは１０質量％以上、更に好ましくは２０質量％以上、より更に好ましくは４０質量％以上、より更に好ましくは６０質量％以上、より更に好ましくは８０質量％以上、より更に好ましくは９０質量％以上、そして、１００質量％以下含有する。成分（Ａ）と成分（Ｂ）の合計含有量が前記範囲であれば、保存及び輸送が効率的になるとともに、水等による希釈作業の作業性を向上でき、土壌に対して良好な透水性向上効果が得られるため好ましい。また本発明の土壌用透水性向上剤組成物は、成分（Ａ）及び成分（Ｂ）からなるものであってもよい。
【００２０】
本発明の土壌用透水性向上剤組成物は、透水性向上の観点から、成分（Ａ）として、成分（Ａ１）及び成分（Ａ２）を含有することが好ましい。
本発明の土壌用透水性向上剤組成物において、成分（Ａ）として、成分（Ａ１）及び成分（Ａ２）を含有する場合、成分（Ａ１）の含有量と成分（Ａ２）の含有量との質量比（Ａ１）／（Ａ２）は、透水性向上及び薬害低減の観点から、好ましくは０．５以上、より好ましくは０．７以上、更に好ましくは０．８以上、より更に好ましくは１以上であり、そして、好ましくは２以下、より好ましくは１．９以下、更に好ましくは１．８以下、より更に好ましくは１．７以下である。
【００２１】
本発明の土壌用透水性向上剤組成物は、保存安定性向上の観点から、成分（Ｃ）として、ＳＰ値が８以上１３以下の化合物を含有することが好ましい。但し、成分（Ｃ）からは、成分（Ａ）及び成分（Ｂ）に該当する化合物は除かれる。
【００２２】
成分（Ｃ）のＳＰ値は、好ましくは８以上、より好ましくは８．４以上、更に好ましくは９．５以上、そして、好ましくは１３以下、より好ましくは１２以下、更に好ましくは１１以下である。ＳＰ値は、溶解度パラメーターである。本発明において、ＳＰ値は、Ｈｏｙの方法によって求めた値（単位：（ｃａｌ／ｃｍ３）１／２）である。
【００２３】
成分（Ｃ）は、他成分の低温析出抑制の観点から、炭素数５以下のエステル化合物、ジメチルスルホキシド、及び炭素数１以上３以下のアルコールから選ばれる１種以上の化合物が好ましい。
炭素数５以下のエステル化合物としては、酢酸エチル（ＳＰ値８．１）、乳酸エチル（ＳＰ値９．７）、酢酸メチル（ＳＰ値８．４）、乳酸メチル（ＳＰ値１０．２）、プロピオン酸エチル（ＳＰ値８．３）、プロピオン酸メチル（ＳＰ値８．３）等が挙げられる。
ジメチルスルホキシドのＳＰ値は、１３．０である。
炭素数１以上３以下のアルコールとしては、エタノール（ＳＰ値１２．７）、プロピルアルコール（ＳＰ値１２．０）等が挙げられる。
成分（Ｃ）は、他成分の低温析出抑制の観点から、乳酸エチル、ジメチルスルホキシドから選ばれる１種以上の化合物が好ましい。
【００２４】
本発明の土壌用透水性向上剤組成物において、成分（Ｃ）を含有する場合、成分（Ｃ）の含有量は、特に制限されないが、好ましくは１質量％以上、より好ましくは１０質量％以上、そして、好ましくは５０質量％未満、より好ましくは３０質量％以下である。
【００２５】
本発明の土壌用透水性向上剤組成物において、成分（Ｃ）を含有する場合、成分（Ｃ）の含有量と成分（Ａ）と成分（Ｂ）の合計含有量との質量比（Ｃ）／（（Ａ）＋（Ｂ））は、保存安定性向上の観点から、好ましくは０．０１以上、より好ましくは０．０５以上、更に好ましくは０．１以上、そして、好ましくは０．３以下、より好ましくは０．２以下、更に好ましくは０．１５以下である。
【００２６】
本発明の土壌用透水性向上剤組成物は、成分（Ａ）と成分（Ｂ）と成分（Ｃ）とを合計で好ましくは５質量％以上、より好ましくは１０質量％以上、更に好ましくは２０質量％以上、より更に好ましくは４０質量％以上、より更に好ましくは６０質量％以上、より更に好ましくは８０質量％以上、より更に好ましくは９０質量％以上、そして、１００質量％以下含有する。また本発明の土壌用透水性向上剤組成物は、成分（Ａ）、成分（Ｂ）及び成分（Ｃ）からなるものであってもよい。
【００２７】
本発明の土壌用透水性向上剤組成物は、成分（Ａ）、成分（Ｂ）による透水性向上効果を損なわず薬害に影響しない範囲で、成分（Ａ）、成分（Ｂ）以外の界面活性剤を含有することもできる。そのような界面活性剤としては、成分（Ａ）、成分（Ｂ）以外の非イオン界面活性剤、陰イオン界面活性剤、陽イオン界面活性剤及び両性界面活性剤、或いはそれらの混合物が挙げられる。
【００２８】
本発明の土壌用透水性向上剤組成物において、成分（Ａ）、成分（Ｂ）以外の界面活性剤を含有する場合、その含有量は、成分（Ａ）、成分（Ｂ）による効果を妨げない範囲で適宜選択可能である。本発明の土壌用透水性向上剤組成物において、全界面活性剤中の成分（Ａ）及び成分（Ｂ）の合計含有量は、透水性向上及び薬害低減の観点から、好ましくは５０質量％以上、より好ましくは７０質量％以上、更に好ましくは９０質量％以上、そして、好ましくは１００質量％以下であり、１００質量％であってもよい。
【００２９】
非イオン界面活性剤としては、ポリオキシアルキレンアルキルエーテル、ポリオキシアルキレンアルケニルエーテル、ポリオキシアルキレンアルキルアリールエーテル、ポリオキシアルキレンアリールエーテル、ポリオキシアルキレンアルキルアミン、ポリオキシアルキレンアルキルソルビトールエステル、ポリオキシアルキレンアルキルソルビタンエステル、ポリオキシアルキレンアルキルグリセロールエステル、ポリオキシアルキレンブロック共重合体、ポリオキシアルキレンブロック共重合体アルキルグリセロールエステル、ポリオキシアルキレンアルキルスルホンアミド、ソルビタン脂肪酸エステル、ショ糖脂肪酸エステル、アルキルグルコシド、アルキルグリセリルエーテル等が挙げられ、これらのうちの１種以上を用いることができる。非イオン界面活性剤としては、透水性向上及び薬害低減の観点から、ポリオキシアルキレンアルキルアミン、及びポリオキシアルキレンアルケニルアミンから選ばれる１種以上が好ましく、ポリオキシエチレンアルキルアミン、ポリオキシプロピレンアルキルアミン、ポリオキシエチレンアルケニルアミン、及びポリオキシプロピレンアルケニルアミンから選ばれる１種以上がより好ましく、ポリオキシエチレンタローアミン、ポリオキシエチレンココアミン、ポリオキシエチレンソイアミン、ポリオキシエチレンオレイルアミン、及びポリオキシエチレンオクチルアミンから選ばれる１種以上が更に好ましく、ポリオキシエチレンココアミンがより更に好ましい。
【００３０】
陽イオン界面活性剤としては、アルキルアミン塩型、第４級アンモニウム塩型、ピリジニウム塩型、ジアルキルアミン誘導体等が挙げられ、アルキルアミン塩型としては、例えば、ラウリルアミン、ミリスチルアミン、パルミチルアミン、ステアリルアミン、オレイルアミン及びそれらの酢酸等の酸塩；第４級アンモニウム塩型としては、例えば、ラウリルトリメチルアンモニウム、ミリスチルトリメチルアンモニウム、パルミチルトリメチルアンモニウム、ステアリルトリメチルアンモニウム、オレイルトリメチルアンモニウム等の第４級アンモニウムのクロライド等のハロゲン化物塩；ピリジニウム塩型としては、ドデシルピリジニウム、ヘキサデシルピリジニウム等のピリジニウムのクロライド等のハロゲン化物塩；ジアルキルアミン誘導体としては、ジアルキルモノメチルヒドロキシエチルアンモニウムプロピオネート、ジアルキルモノメチルベンザルコニウムクロライド、ジアルキルモノメチルエチルアンモニウムエチルサルフェートなどがある。
陽イオン界面活性剤としては、透水性向上及び薬害低減の観点から、アルキルアミン塩型、第４級アンモニウム塩型、及びジアルキルアミン誘導体から選ばれる１種以上が好ましく、ジラウリルモノメチルベンザルコニウムクロライドがより好ましい。
【００３１】
陰イオン界面活性剤のうち、典型的なものは、水溶液或いは固体状態で入手され得るが、その例としては、モノ−及びジ−アルキルナフタレンスルホン酸ナトリウム、α−オレフィンスルホン酸ナトリウム、アルカンスルホン酸ナトリウム、モノ−及びジ−アルキルベンゼンスルホン酸塩、アルキルジフェニルエーテルスルホン酸塩、アルキルナフタレンスルホネートのホルムアルデヒド縮合物等のスルホン酸塩；アルキルスルホコハク酸塩、アルキル硫酸塩、ポリオキシアルキレンアルキルエーテル硫酸塩、ポリオキシアルキレンアルキルアリールエーテル硫酸塩、ポリオキシアルキレンスチリルフェニルエーテル硫酸塩等の硫酸塩；モノ及びジアルキルリン酸塩、ポリオキシアルキレンモノ及びジアルキルリン酸塩、ポリオキシアルキレンモノ及びジフェニルエーテルリン酸塩、ポリオキシアルキレンモノ及びジアルキルフェニルエーテルリン酸塩等のリン酸塩；ポリアクリル酸等のポリカルボン酸及びその塩、直鎖及び分岐アルキルポリオキシアルキレンエーテル酢酸及びその塩、アルケニルポリオキシアルキレンエーテル酢酸及びその塩、直鎖及び分岐アルキルアミドポリオキシアルキレンエーテル酢酸及びその塩、ステアリン酸やオレイン酸等の脂肪酸及びその塩等のカルボン酸及びその塩；ココイルメチルタウリンナトリウム等が挙げられ、これらのうちの１種以上を用いることができる。
陰イオン界面活性剤としては、透水性向上及び薬害低減の観点から、脂肪酸塩が好ましく、オレイン酸、ヒマシ油脂肪酸等の高級脂肪酸のナトリウム塩、カリウム塩がより好ましく、オレイン酸カリウムがより好ましい。
【００３２】
両性界面活性剤としては、ラウリルジメチルアミンオキサイド等のアルキルアミンオキサイド型；ラウリルベタイン、ステアリルベタイン、ラウリン酸アミドプロピルベタイン、ヤシ油脂肪酸アミドプロピルベタイン等のカルボキシベタイン型；アルキルジエチレントリアミノ酢酸等のグリシン型；２−アルキル−Ｎ−カルボキシメチル−Ｎ−ヒドロキシエチルイミダゾリニウムベタイン等の２−アルキルイミダゾリン誘導体等が挙げられ、これらのうちの１種以上を用いることができる。
【００３３】
本発明の土壌用透水性向上剤組成物は、成分（Ｄ）として、水を含有することができる。本発明の土壌用透水性向上剤組成物が水を含有する場合、該組成物の希釈時の成分（Ａ）、成分（Ｂ）及び任意成分（成分（Ｃ）を含む）の希釈媒体（例えば、水及び／又は有機溶媒）への分散及び溶解が容易となるため、土壌散布時において、希釈媒体で希釈して処理液を調製する工程が容易になる。
【００３４】
本発明の土壌用透水性向上剤組成物において、成分（Ｄ）の含有量は、特に制限されないが、好ましくは１質量％以上、より好ましくは１０質量％以上、そして、好ましくは５０質量％未満、より好ましくは３０質量％以下である。
【００３５】
本発明の土壌用透水性向上剤組成物は、成分（Ａ）と成分（Ｂ）と成分（Ｃ）と成分（Ｄ）とを合計で好ましくは５質量％以上、より好ましくは１０質量％以上、更に好ましくは２０質量％以上、より更に好ましくは４０質量％以上、より更に好ましくは６０質量％以上、より更に好ましくは８０質量％以上、より更に好ましくは９０質量％以上、そして、１００質量％以下含有する。また本発明の土壌用透水性向上剤組成物は、成分（Ａ）、成分（Ｂ）、成分（Ｃ）、及び成分（Ｄ）からなるものであってもよい。
【００３６】
なお、本発明の土壌用透水性向上剤組成物に含有される成分（Ａ）及び成分（Ｂ）は、組成物の調製後であっても、ガスクロマトグラフィーにより分離し、ＦＩＤ検出器にて検出することができる。例えば、土壌用透水性向上剤組成物をエタノール等の適当な溶媒で希釈した後、以下の条件で測定することにより、土壌用透水性向上剤組成物中の成分（Ａ）及び成分（Ｂ）を定量的に確認することができる。
装置：ガスクロマトグラフィー分析システム（Ａｇｉｌｅｎｔ６８５０ Ｓｅｒｉｅｓ II、アジレント・テクノロジー株式会社製）
カラム：ＤＢ−５（（５％−Ｐｈｅｎｙｌ）−Ｍｅｔｈｙｌｐｏｌｙｓｉｌｏｘａｎｅ）（アジレント・テクノロジー株式会社製）
カラムサイズ：長さ：１２ｍ、内径：２００μｍ、膜厚：０．３３μｍ
ヘリウムガス流量：１．０ｍＬ／分、圧力：８５．０ｋＰａ
カラム温度条件（初期カラム温度：６０℃、２分間保持→昇温１０℃／分→３００℃、１４分間保持）
【００３７】
［土壌の透水性向上方法］
本発明は、本発明の土壌用透水性向上剤組成物を、成分（Ａ）及び成分（Ｂ）の合計濃度が５０ｍｇ／ｋｇ以上５００００ｍｇ／ｋｇ以下となるように処理液を調製し、土壌に散布する、土壌の透水性向上方法である。
本発明の土壌の透水性向上方法は、本発明の土壌用透水性向上剤組成物で記載した事項を適宜適用することができる。
【００３８】
本発明の土壌の透水性向上方法において、本発明の土壌用透水性向上剤組成物を、成分（Ａ）及び成分（Ｂ）の合計濃度が、透水性向上及び薬害低減の観点から、５０ｍｇ／ｋｇ以上、好ましくは１００ｍｇ／ｋｇ以上、より好ましくは３００ｍｇ／ｋｇ以上、更に好ましくは５００ｍｇ／ｋｇ以上、より更に好ましくは６００ｍｇ／ｋｇ以上、そして、５００００ｍｇ／ｋｇ以下、好ましくは２５０００ｍｇ／ｋｇ以下、より好ましくは２００００ｍｇ／ｋｇ以下、更に好ましくは１５０００ｍｇ／ｋｇ以下、より更に好ましくは１２０００ｍｇ／ｋｇ以下、より更に好ましくは１００００ｍｇ／ｋｇ以下となるように処理液を調製する。前記処理液において、成分（Ａ）及び成分（Ｂ）の合計濃度が、下限値以上であれば、優れた透水性向上効果が得られ、また合計濃度が上限値以下であれば、透水性向上効果を十分に発揮でき、薬害を低減できる。
処理液の調製に用いる媒体としては、水等の成分（Ａ）及び成分（Ｂ）を均一に溶解あるいは分散できる溶媒であればいずれの溶媒でも用いることができる。処理液の調製に用いる溶媒としては、水、エタノール等の水溶性溶剤及びこれらの混合溶媒を用いることが好ましく、水を含有することがより好ましく、水であることが更に好ましい。水としては、イオン交換水、水道水等の大量に入手可能な水を散布する土壌に応じて適宜使用できる。
【００３９】
本発明の土壌用透水性向上剤組成物から調製した前記処理液を土壌に散布する場合、前記処理液を、土壌１０ａあたり、好ましくは０．５Ｌ以上、より好ましくは１Ｌ以上、更に好ましくは５Ｌ以上、より更に好ましくは５０Ｌ以上、より更に好ましくは１００Ｌ以上、そして、好ましくは５０００Ｌ以下、より好ましくは２０００Ｌ以下、更に好ましくは１０００Ｌ以下散布する。
散布量が下限値以上であれば十分な透水性を得ることができ良好な透水性向上効果が得られ、また、上限値以下であれば薬害を生じることなく良好な透水性向上効果が得られる。
【００４０】
本発明の土壌用透水性向上剤組成物から調製した前記処理液を土壌に散布する場合、前記成分（Ａ）及び成分（Ｂ）の合計量を、土壌１０ａあたり、好ましくは５ｇ以上、より好ましくは１０ｇ以上、更に好ましくは５０ｇ以上、より更に好ましくは１００ｇ以上、より更に好ましくは２００ｇ以上、そして、好ましくは５０ｋｇ以下、より好ましくは１０ｋｇ以下、更に好ましくは５ｋｇ以下、より更に好ましくは３ｋｇ以下となるように前記処理液を散布する。
散布量が前記範囲の下限値以上であれば十分な透水性を得ることができ良好な透水性向上効果が得られ、また、上限値以下であれば薬害を生じることなく良好な透水性向上効果が得られる。
【００４１】
本発明の土壌用透水性向上剤組成物から調製した前記処理液は、植物が生育されていない土壌、植物が生育されている土壌のどちらにも散布できるが、植物が生育されていない土壌もしくは植物が栽培されていない土壌に散布することが好ましい。
【実施例】
【００４２】
以下の実施例、比較例において、使用した成分は以下の通りである。
＜成分（Ａ）＞
［成分（Ａ１）］
Ａ１−１：ポリオキシエチレン（１２）モノラウリン酸エステル（花王株式会社製、エマノーン１１１２）
Ａ１−２：ポリオキシエチレン（１０）モノラウリン酸エステル（日光ケミカルズ株式会社製、ＮＩＫＫＯＬ  ＭＹＬ−１０）
Ａ１−３：ポリオキシエチレン（９）モノラウリン酸エステル（日油株式会社製、ノニオンＬ−４）
Ａ１−４：ポリオキシエチレン（４．５）モノラウリン酸エステル（日油株式会社製、ノニオン  Ｌ−２）
Ａ１−５：ポリオキシエチレン（２０）モノミリスチン酸エステル（日油株式会社製、ノニオン  ＭＭ−９）
Ａ１−６： ポリオキシエチレン（９）モノミリスチン酸エステル（日油株式会社製、ノニオン  ＭＭ−４）
【００４３】
［成分（Ａ２）］
Ａ２−１：モノカプリル酸モノグリセリル（東京化成工業株式会社製、モノカプリリン）
Ａ２−２：モノカプリン酸モノグリセリル（東京化成工業株式会社製、モノカプリン）
Ａ２−３：モノラウリン酸モノグリセリル（東京化成工業株式会社製、モノラウリン）
Ａ２−４：モノラウリン酸ジグリセリル（太陽化学株式会社製、サンソフトＱ−１２Ｄ−Ｃ）
【００４４】
＜成分（Ａ’）(成分（Ａ）の比較成分＞
Ａ’−１：ポリオキシエチレン（９．１）モノオレイン酸エステル（青木油脂工業株式会社製、ブラウノン  Ｏ−４００ＳＡ）
Ａ’−２：モノオレイン酸デカグリセリル（日光ケミカルズ株式会社製、ＮＩＫＫＯＬ  ＤＥＣＡＧＬＹＮ  １−ＯＶ）
【００４５】
＜成分（Ｂ）＞
Ｂ−１：オクチルアルコール（花王株式会社製、カルコール０８９８）
Ｂ−２：デシルアルコール（花王株式会社製、カルコール１０９８）
Ｂ−３：ラウリルアルコール（花王株式会社製、カルコール２０９８）
Ｂ−４：ミリスチルアルコール（花王株式会社製、カルコール４０９８）
【００４６】
＜成分（Ｂ’）(成分（Ｂ）の比較成分＞
Ｂ’−１：メタノール（富士フィルム和光純薬株式会社製）
Ｂ’−２：１−ブタノール（富士フィルム和光純薬株式会社製）
Ｂ’−３：オレイルアルコール（富士フィルム和光純薬株式会社製）
【００４７】
＜成分Ｃ＞
Ｃ−１：乳酸エチル（東京化成工業株式会社製）
Ｃ−２：ジメチルスルホキシド（富士フィルム和光純薬株式会社製）
＜成分Ｄ＞
Ｄ−１：オルガノ株式会社製の純水装置Ｇ−１０ＤＳＴＳＥＴで製造した１μＳ／ｃｍ以下の純水
【００４８】
＜その他成分＞
市販品１：レボ（株式会社トモグリーン・ケミカル製、非イオン界面活性剤（ModifiedAlkylated Polyol（H3C-(CH2CH2O)x-(CH2CH(CH3)O)y(CH2CH2O)x-CH3））、特許第５０１５７６７号）
市販品２：クアリブラ（登録商標）（シンジェンタジャパン株式会社製、ＰＯ−ＥＯ共重合体（７５〜８５％）、エトキシル−プロポキシルテルペン（ブロック重合体、１５〜２５％）含有）
【００４９】
＜土壌用透水性向上剤組成物の製造（組成物Ｎｏ．１〜２１）＞
表１に示す組成となるように、各成分を混合し、土壌用透水性向上剤組成物を調製した。得られた土壌用透水性向上剤組成物を以下の評価に用いた。
【００５０】
【表１】
2020196814.tif 000002
【００５１】
表１中、成分（Ａ’）、及び成分（Ｂ’）は、便宜上、成分（Ａ）、及び成分（Ｂ）にそれぞれ記載した。
【００５２】
＜処理液の調製（実施例１〜２４及び比較例２〜８）＞
各土壌用透水性向上剤組成物を表２に示す濃度となるように水（Ｄ−１）を用いて希釈して、処理液を調製した。なお、比較例１には土壌用透水性向上剤組成物を含まない水のみを用いた。また比較例７、８は、市販品１、２をそれぞれ表２に示す濃度となるように水を用いて希釈して、処理液を調製した。
【００５３】
＜評価用土壌の調製＞
乾燥機（８０℃）で３日間乾燥させた土壌（荒木田土、グリーンメール社製）８００ｇを２Ｌの容器に入れ、ステンレス製アンカー型攪拌羽根（羽根径９０ｍｍ×３５０ｍｍ）を取り付けた攪拌機を用いて土壌を２５ｒｐｍの回転速度で緩やかに攪拌しながら、フミン酸（富士フィルム和光純薬株式会社製）／トルエン（富士フィルム和光純薬株式会社製）混合溶液（質量比１／１）４００ｇを徐々に滴下し混合した。その後ドラフト室内に開放状態で室温にて３日間静置してトルエンを蒸発させ、評価用土壌を作成した。評価用土壌の水の接触角は１２２°であり、疎水性を示した。
【００５４】
＜透水係数（ｋ）の測定＞
１０ｍＬシリンジ（型番：ＳＳ−１０ＥＳＺ（横口）、テルモ株式会社製、透過面積：１．８５５ｃｍ２）の外筒内に、筒先から土壌が流出せず、かつ透水速度に影響のないように、外筒内の筒先端にキムワイプＳ−２００（日本製紙クレシア株式会社製）の小片を１枚敷き、２．０ｇ評価用土壌を入れ、土壌高さ（透過長）が１．５ｃｍになるように押し固め、透過した処理液を微小液滴で落下させるため、筒先にピペットチップ（１〜２００μＬ、イエロー、５０ｍｍ、サーモフィッシャーサイエンティフィック株式会社製）を取り付けた。筒先を下にして固定し、筒内の土壌に上から水を５ｍＬ滴下し、筒内を透過させ、土が毛管水で満たされている状態（毛管飽和状態）とした。その後、各処理液を筒内の土壌に５ｍＬ滴下し、水面の高さが一定になるよう（液面から液出口までの高さが５．０ｃｍで一定）上から処理液を適宜添加し、水面の高さを一定に保ちながら、処理液添加開始時から土壌を透過した液の質量が５．０ｇに到達するまでに要する透過時間を測定した。比重は１．００とし、質量から容量を換算し、下記式（１）にて、透水係数を算出した。結果を表１に示す。
ｋ＝（Ｑ×Ｌ）÷（ｈ×Ａ×ｔ）  （１）
ｋ：透水係数（ｃｍ／秒）
Ｑ：透過液量（ｃｍ３）
Ｌ：透過長（土壌高さ）（ｃｍ）
ｈ：液面から液出口までの高さ（ｃｍ）
Ａ：透過面積（ｃｍ２）
ｔ：透過時間（秒）
【００５５】
＜接触角の測定＞
評価用土壌０．５ｇをスライドガラス（松浪硝子工業株式会社製、商品名：Ｓ−１１１２）に乗せ、表面の形状を平らに整えた。各処理液５μＬを滴下し、５秒後、光学顕微鏡（デジタルマイクロスコープＶＨＸ−２０００、株式会社キーエンス製）を用い、横からの液滴を撮影し、画像処理ソフトにより接触角を測定した。同様の操作で５回測定し、その平均値を算出した。結果を表２に示す。
【００５６】
＜植物への薬害度の測定＞
植物への薬害度の測定には、薬剤に対する感受性の高いダイズ（品種：富貴、タキイ種苗株式会社製）を用いた。ダイズを３週間栽培して２葉期のダイズを準備し、１ｍ２あたり３株のダイズを配置し、各処理液を表２に記載の各処理量となるように、ハンドスプレーを用いて葉面散布した。１週間後、第１葉に発生した薬害を、図１及び下記の薬害度の指標で判定した。結果を表２に示す。
−：薬害発生なし、
±：わずかに薬害発生
＋：明らかに薬害発生
＋＋：強く薬害発生、
＋＋＋：極めて強く薬害発生
【００５７】
【表２】
2020196814.tif 000003
【図１】
2020196814.tif 000004